(57)【要約】【課題】人の移動と共に必要な物体の移動を確認できる物体移動確認システム、方法およびプログラムを得る。【解決手段】第１の領域から第２の領域に移動する人の移動に伴って移動する物体に取り付けられた無線信号発信手段のうちの必ず第２の領域に移動する物体に対応するステータスを第１の領域状態に設定しておく（ステップＳ２１）。人が第１の領域から第２の領域まで移動し電磁遮蔽機能を持ったゲート手段が閉じた時点で（ステップＳ２１）、無線信号発信手段が発信している信号の受信の可否により各物体が第２の領域に移動したかを判別する（ステップＳ２３）。【選択図】図２
2010191510.tif 000002
【特許請求の範囲】
【請求項１】
所定の空間領域としての第１の領域とこの第１の領域と接続される第２の領域との間に配置された人の出入りを仕切るゲート手段と、
このゲート手段が閉じた状態で前記第１の領域と第２の領域の間における無線信号の通過を阻止し、開いた状態ではこれらの領域の間で無線信号を通過させる無線信号遮蔽制御手段と、
前記ゲート手段の前記第２の領域側で、前記無線信号遮蔽制御手段が無線信号の通過を阻止したときに前記第１の領域からの無線信号が届かず、かつ前記無線信号遮蔽制御手段が無線信号を通過させるとき前記第１の領域からの無線信号が届く所定の場所に配置された第２の領域側無線信号受信手段と、
特定の人が前記第１の領域から前記ゲート手段を経て前記第２の領域に移動するとき必ずこれと共に第１の領域から第２の領域に移動する特定物としての移動必携物に取り付けられた移動必携物上無線信号発信手段と、
前記特定の人が前記第１の領域から前記ゲート手段を経て前記第２の領域に移動するときこれと共に第１の領域から第２の領域に移動すべきそれぞれの物体としての移動必要物のそれぞれに取り付けられた移動必要物上無線信号発信手段と、
前記ゲート手段が閉じたときこれを検知するゲート手段閉検知手段と、
このゲート手段閉検知手段が前記ゲート手段の閉じたことを検知したとき、前記移動必携物上無線信号発信手段から発信される無線信号が前記第２の領域側無線信号受信手段によって受信される条件で、前記第２の領域側無線信号受信手段が前記移動必要物上無線信号発信手段から発信された無線信号のそれぞれの受信の可否を判別することでこれらの移動必要物が前記第２の領域に移動したかを個別に判別する第２の領域移動時移動必要物移動確認手段
とを具備することを特徴とする物体移動確認システム。
【請求項２】
前記第１の領域は外壁によって仕切られた家屋の内部領域であり、前記第２の領域は家屋の外の領域であって、前記ゲート手段は玄関ドアであることを特徴とする請求項１記載の物体移動確認システム。
【請求項３】
前記移動必携物上無線信号発信手段が取り付けられた前記移動必携物は、前記玄関ドアを施錠する鍵あり、前記ゲート手段閉検知手段は前記玄関ドアが前記第２の領域側から施錠されたことを検知する手段であることを特徴とする請求項２記載の物体移動確認システム。
【請求項４】
前記移動必携物上無線信号発信手段が取り付けられた前記移動必携物は、前記特定の人が前記第２の領域に移動するときに履く靴であることを特徴とする請求項２記載の物体移動確認システム。
【請求項５】
前記第２の領域側から施錠されたことを検知する手段は、前記ゲート手段閉検知手段が前記ゲートの閉じたことを検知した時点で前記移動必携物上無線信号発信手段の発信した無線信号が前記第２の領域側無線信号受信手段によって受信されたことを検知する手段であることを特徴とする請求項３記載の物体移動確認システム。
【請求項６】
前記ゲート手段の前記第１の領域側で、前記無線信号遮蔽制御手段が無線信号の通過を阻止したときに前記第２の領域からの無線信号が届かず、かつ前記無線信号遮蔽制御手段が無線信号を通過させるとき前記第２の領域からの無線信号が届く所定の場所に配置された第１の領域側無線信号受信手段を更に具備することを特徴とする請求項１記載の物体移動確認システム。
【請求項７】
前記特定の人が前記第１の領域から前記第２の領域に移動し再び前記第１の領域に戻ったとき前記移動必要物上無線信号発信手段から発信された無線信号のそれぞれの受信の可否を判別することでこれらの移動必要物が前記第１の領域に移動したかを個別に判別する第１の領域移動時移動必要物移動確認手段を具備することを特徴とする請求項６記載の物体移動確認システム。
【請求項８】
所定の空間領域としての第１の領域からこれと接続される第２の領域に移動しようとする人の移動に伴って前記第１の領域から前記第２の領域に移動する可能性のある物体のそれぞれに取り付けられた無線信号発信手段のうちの必ず前記第２の領域に移動するべき物体に取り付けられた無線信号発信手段のステータスを、これらの物体が第１の領域に存在することを示す第１の領域状態に設定する第１の領域状態設定ステップと、
前記第１の領域と第２の領域の境に存在し、その開状態以外は電磁遮蔽機能を持ったゲート手段を開いて特定の人が前記第１の領域から第２の領域まで移動したとき、この移動後に前記ゲート手段が閉じた時点を検知する第２の領域移動時ゲート手段閉検知ステップと、
この第２の領域移動時ゲート手段閉検知ステップで前記ゲート手段が閉じたことが検知されたとき、前記第１の領域状態設定ステップで第１の領域状態に設定された物体に取り付けられた前記無線信号発信手段が発信している信号の受信の可否を前記第２の領域側で判別することでこれらの物体が前記第２の領域に移動したかを個別に判別する第２の領域移動時移動必要物移動確認ステップ
とを具備することを特徴とする物体移動確認方法。
【請求項９】
前記第２の領域移動時移動必要物移動確認ステップで前記第２の領域に移動したことが判別された物体に取り付けられた無線信号発信手段のステータスを、これらの物体が第２の領域に存在することを示す第２の領域状態に更新する第２の領域状態更新ステップと、
前記特定の人が前記第１の領域から第２の領域まで移動した後、再び第１の領域まで移動したとき、この移動後に前記ゲート手段が閉じた時点を検知する第１の領域移動時ゲート手段閉検知ステップと、
この第１の領域移動時ゲート手段閉検知ステップで前記ゲート手段が閉じたことが検知されたとき、前記第２の領域状態更新ステップで前記第２の領域に移動したことが判別された物体に取り付けられた前記無線信号発信手段が発信している信号の受信の可否を前記第１の領域側で判別することでこれらの物体が前記第１の領域に移動したかを個別に判別する第１の領域移動時移動必要物移動確認ステップ
とを具備することを特徴とする請求項８記載の物体移動確認方法。
【請求項１０】
コンピュータに、
所定の空間領域としての第１の領域からこれと接続される第２の領域に移動しようとする人の移動に伴って前記第１の領域から前記第２の領域に移動する可能性のある物体のそれぞれに取り付けられた無線信号発信手段のうちの必ず前記第２の領域に移動するべき物体に取り付けられた無線信号発信手段のステータスを、これらの物体が第１の領域に存在することを示す第１の領域状態に設定する第１の領域状態設定処理と、
前記第１の領域と第２の領域の境に存在し、その開状態以外は電磁遮蔽機能を持ったゲート手段を開いて特定の人が前記第１の領域から第２の領域まで移動したとき、この移動後に前記ゲート手段が閉じた時点を検知する第２の領域移動時ゲート手段閉検知処理と、
この第２の領域移動時ゲート手段閉検知処理で前記ゲート手段が閉じたことが検知されたとき、前記第１の領域状態設定処理で第１の領域状態に設定された物体に取り付けられた前記無線信号発信手段が発信している信号の受信の可否を前記第２の領域側で判別することでこれらの物体が前記第２の領域に移動したかを個別に判別する第２の領域移動時移動必要物移動確認処理
とを実行させることを特徴とする物体移動確認プログラム。
【請求項１１】
前記第２の領域移動時移動必要物移動確認処理で前記第２の領域に移動したことが判別された物体に取り付けられた無線信号発信手段のステータスを、これらの物体が第２の領域に存在することを示す第２の領域状態に更新する第２の領域状態更新処理と、
前記特定の人が前記第１の領域から第２の領域まで移動した後、再び第１の領域まで移動したとき、この移動後に前記ゲート手段が閉じた時点を検知する第１の領域移動時ゲート手段閉検知処理と、
この第１の領域移動時ゲート手段閉検知処理で前記ゲート手段が閉じたことが検知されたとき、前記第２の領域状態更新処理で前記第２の領域に移動したことが判別された物体に取り付けられた前記無線信号発信手段が発信している信号の受信の可否を前記第１の領域側で判別することでこれらの物体が前記第１の領域に移動したかを個別に判別する第１の領域移動時移動必要物移動確認処理
とを実行させることを特徴とする請求項１０記載の物体移動確認プログラム。
【発明の詳細な説明】
【技術分野】
【０００１】
本発明は、人と共に移動すべき物体の移動管理を行う物体移動確認システム、物体移動確認方法および物体移動確認プログラムに関する。
【背景技術】
【０００２】
外出するときや会議室で開く会議に出席する場合のように、ある領域から他の領域に移動する際に必ず持っていかなければならない物がある場合が多い。たとえば、外出するときには携帯電話機や財布が必携品となる場合がある。会議に出席する場合には、予め指定された書類や、データを格納したパーソナルコンピュータが必携品となる場合がある。これら必携品は、人により、また、状況によっても異なる。忘れ物については本人が意識してもなかなか改善されず、慌てているような場合に特に生じやすい。忘れ物に気付いて家や職場に戻ると大切な時間を浪費する。また、食事の支払いのときに財布を忘れてきたことに気付いた場合のように、忘れ物に気付く時間が遅くなると、他人に迷惑を掛ける上、信用も失いかねない。仕事上では、必要書類を持ち忘れたために、契約手続きが遅延するだけでなく、契約そのものが破棄される場合もある。
【０００３】
そこで、本発明の第１の関連技術として、持ち物リストを作成して、たとえば外出時にこれを用いて必携品を外出前に点検することが行われている。しかしながら、持ち物リスト自体が見当たらなくなったり、紛失してしまう場合があり、肝心な場合に役に立たないことが多い。また、慌てているときや暗がりでは、持ち物リストを不完全に読んでしまい、肝心な必携品の確認を怠る場合も多い。
【０００４】
この他に、本発明の第２の関連技術として携行品にＲＦＩＤ（Radio Frequency Identification）タグを取り付けて、これを必要に応じて発信させることが提案されている（たとえば特許文献１参照）。この第２の関連技術で、ユーザは携帯電話機、手帳、財布といった外出時に携帯する物にＲＦＩＤタグを貼り付けておく。そして、それぞれのＲＦＩＤタグのＩＤ情報を記憶しておく。ユーザは、必要なときにＲＦＩＤリーダを起動してＲＦＩＤタグに電波を送信し、ＲＦＩＤタグからの応答電波を受信して、記憶しておいたＩＤ情報と比較する。そして、記憶しておいたＩＤ情報とＲＦＩＤタグのそれぞれのＩＤ情報が完全に一致すれば、忘れ物がないと判定する。これに対して、ＩＤ情報が検知できないものがあれば、該当するＲＦＩＤタグの貼り付けられた物が忘れ物であると分かる。
【先行技術文献】
【特許文献】
【０００５】
【特許文献１】特開２００５−０８５１８６号公報（第００１７段落〜第００２０段落、図１）
【発明の概要】
【発明が解決しようとする課題】
【０００６】
ところが、この第２の関連技術では、ＲＦＩＤリーダを起動する場所が問題となる。たとえばユーザが自宅から外出する場合に玄関の靴箱の上に設置していたとする。そして、玄関フロアに持ち物を置いて靴を履きながらＲＦＩＤリーダを起動し、すべての必携品が揃っていることを確認してＲＦＩＤリーダの電源を切り、外出したとする。ところが、靴を履いた後、玄関フロアに置かれた物の一部を取り残したり、靴を履いたりする動作時に床面に落としてしまった鍵等の小物を取り忘れて、そのまま外出する場合がある。また、慌てている場合にはＲＦＩＤリーダの電源を入れるのを忘れて、必携品の一部が欠けているにも係わらず外出する場合もある。ＲＦＩＤリーダの電源を常に入れていてもよい。しかし、この場合もＲＦＩＤリーダから所定の距離範囲に存在する物の確認が行われるのみであり、ユーザが持って外出するまでのチェックは行われない。更に、ユーザに対して頻繁に確認通知が行われるのは煩雑である。
【０００７】
また、ユーザが会社で会議に出席する場合を考えると、ＲＦＩＤリーダを自分の席に置いていても、会議に必ず持参しなければならない必携品の検出には適さない。ＲＦＩＤリーダは会議出席用にまとめて置いた書類や物品だけでなく、その付近の書類の下に隠れてしまっている会議の必携品に貼り付けたＲＦＩＤタグからも応答電波を受信する。このため、ユーザが全部の必携品が揃ったものとして会議出席用にまとめて置いた書類や物品だけを会議に持参すると、忘れ物が発生する可能性がある。もちろん、この場合も、ＲＦＩＤリーダの電源を入れたものとして勘違いし、忘れ物に対するエラーの通知がないことで安心して会議に出席すると、忘れ物をする危険がある。
【０００８】
そこで本発明の目的は、人の移動と共に必要とする物体の移動を確実に確認することのできる物体移動確認システム、物体移動確認方法および物体移動確認プログラムを提供することにある。
【課題を解決するための手段】
【０００９】
本発明では、（イ）所定の空間領域としての第１の領域とこの第１の領域と接続される第２の領域との間に配置された人の出入りを仕切るゲート手段と、（ロ）このゲート手段が閉じた状態で前記した第１の領域と第２の領域の間における無線信号の通過を阻止し、開いた状態ではこれらの領域の間で無線信号を通過させる無線信号遮蔽制御手段と、（ハ）前記したゲート手段の前記した第２の領域側で、前記した無線信号遮蔽制御手段が無線信号の通過を阻止したときに前記した第１の領域からの無線信号が届かず、かつ前記した無線信号遮蔽制御手段が無線信号を通過させるとき前記した第１の領域からの無線信号が届く所定の場所に配置された第２の領域側無線信号受信手段と、（ニ）特定の人が前記した第１の領域から前記したゲート手段を経て前記した第２の領域に移動するとき必ずこれと共に第１の領域から第２の領域に移動する特定物としての移動必携物に取り付けられた移動必携物上無線信号発信手段と、（ホ）前記した特定の人が前記した第１の領域から前記したゲート手段を経て前記した第２の領域に移動するときこれと共に第１の領域から第２の領域に移動すべきそれぞれの物体としての移動必要物のそれぞれに取り付けられた移動必要物上無線信号発信手段と、（へ）前記したゲート手段が閉じたときこれを検知するゲート手段閉検知手段と、（ト）このゲート手段閉検知手段が前記したゲート手段の閉じたことを検知したとき、前記した移動必携物上無線信号発信手段から発信される無線信号が前記した第２の領域側無線信号受信手段によって受信される条件で、前記した第２の領域側無線信号受信手段が前記した移動必要物上無線信号発信手段から発信された無線信号のそれぞれの受信の可否を判別することでこれらの移動必要物が前記した第２の領域に移動したかを個別に判別する第２の領域移動時移動必要物移動確認手段とを物体移動確認システムが具備する。
【００１０】
また、本発明では、（イ）所定の空間領域としての第１の領域からこれと接続される第２の領域に移動しようとする人の移動に伴って前記した第１の領域から前記した第２の領域に移動する可能性のある物体のそれぞれに取り付けられた無線信号発信手段のうちの必ず前記した第２の領域に移動するべき物体に取り付けられた無線信号発信手段のステータスを、これらの物体が第１の領域に存在することを示す第１の領域状態に設定する第１の領域状態設定ステップと、（ロ）前記した第１の領域と第２の領域の境に存在し、その開状態以外は電磁遮蔽機能を持ったゲート手段を開いて特定の人が前記した第１の領域から第２の領域まで移動したとき、この移動後に前記したゲート手段が閉じた時点を検知する第２の領域移動時ゲート手段閉検知ステップと、（ハ）この第２の領域移動時ゲート手段閉検知ステップで前記したゲート手段が閉じたことが検知されたとき、前記した第１の領域状態設定ステップで第１の領域状態に設定された物体に取り付けられた前記した無線信号発信手段が発信している信号の受信の可否を前記した第２の領域側で判別することでこれらの物体が前記した第２の領域に移動したかを個別に判別する第２の領域移動時移動必要物移動確認ステップとを物体移動確認方法が具備する。
【００１１】
更に本発明では、コンピュータに、物体移動確認プログラムとして、（イ）所定の空間領域としての第１の領域からこれと接続される第２の領域に移動しようとする人の移動に伴って前記した第１の領域から前記した第２の領域に移動する可能性のある物体のそれぞれに取り付けられた無線信号発信手段のうちの必ず前記した第２の領域に移動するべき物体に取り付けられた無線信号発信手段のステータスを、これらの物体が第１の領域に存在することを示す第１の領域状態に設定する第１の領域状態設定処理と、（ロ）前記した第１の領域と第２の領域の境に存在し、その開状態以外は電磁遮蔽機能を持ったゲート手段を開いて特定の人が前記した第１の領域から第２の領域まで移動したとき、この移動後に前記したゲート手段が閉じた時点を検知する第２の領域移動時ゲート手段閉検知処理と、（ハ）この第２の領域移動時ゲート手段閉検知処理で前記したゲート手段が閉じたことが検知されたとき、前記した第１の領域状態設定処理で第１の領域状態に設定された物体に取り付けられた前記した無線信号発信手段が発信している信号の受信の可否を前記した第２の領域側で判別することでこれらの物体が前記した第２の領域に移動したかを個別に判別する第２の領域移動時移動必要物移動確認処理とを実行させることを特徴としている。
【発明の効果】
【００１２】
以上説明したように本発明によれば、ゲート手段の存在する第１と第２の領域の境界位置でゲート手段が閉じたときに無線信号がこれらの領域で行き交わない状況を作り出している。したがって、ユーザが一方の領域から他方の領域に移動して無線信号がこれらの領域で行き交わない状態となっているときに物体からの無線信号を受信することで、どの物体が領域を移動したかを確実に判別することができる。このため、本発明によれば、移動開始前に持ち忘れたり落とした物体を境界位置を超えた時点で簡単に判別することができ、忘れ物の早期回収が可能である。
【図面の簡単な説明】
【００１３】
【図１】本発明の物体移動確認システムのクレーム対応図である。
【図２】本発明の物体移動確認方法のクレーム対応図である。
【図３】本発明の物体移動確認プログラムのクレーム対応図である。
【図４】本発明の実施の形態による物体移動確認システムの構成の要部を表わしたシステム構成図である。
【図５】本実施の形態での玄関ドアと物体所在通知判断装置の構成を具体的に表わしたブロック図である。
【図６】本実施の形態の外出前のステータステーブルの一例を表わした説明図である。
【図７】本実施の形態のシステムを初期化して外出を行うまでの処理を示す流れ図である。
【図８】本実施の形態のステータステーブルの更新後の第１の例を示す説明図である。
【図９】本実施の形態のステータステーブルの更新後の第２の例を示す説明図である。
【図１０】本実施の形態のステータステーブルの更新後の第３の例を示す説明図である。
【図１１】本実施の形態のユーザの帰宅時の物体所在通知判断装置の処理を表わした流れ図である。
【図１２】本発明の第１の変形例による物体移動確認システムの構成の要部を表わしたシステム構成図である。
【図１３】本発明の第２の変形例による物体移動確認システムの構成の要部を表わしたシステム構成図である。
【図１４】第２の変形例のシステムを初期化して外出を行うまでの処理を示す流れ図である。
【発明を実施するための形態】
【００１４】
図１は、本発明の物体移動確認システムのクレーム対応図を示したものである。物体移動確認システム１０は、ゲート手段１１と無線信号遮蔽制御手段１２と第２の領域側無線信号受信手段１３と移動必携物上無線信号発信手段１４と移動必要物上無線信号発信手段１５とゲート手段閉検知手段１６と第２の領域移動時移動必要物移動確認手段１７を備える。ここでゲート手段１１は、所定の空間領域としての第１の領域とこの第１の領域と接続される第２の領域との間に配置された人の出入りを仕切る。無線信号遮蔽制御手段１２は、ゲート手段１１が閉じた状態で前記した第１の領域と第２の領域の間における無線信号の通過を阻止し、開いた状態ではこれらの領域の間で無線信号を通過させる。第２の領域側無線信号受信手段１３は、ゲート手段１１が閉じた状態で前記した第１の領域からの前記した無線信号が届く所定の場所に配置されている。ゲート手段１１が閉じた状態では、この場所で前記した第１の領域からの前記した無線信号は届かない。移動必携物上無線信号発信手段１４は、特定の人が前記した第１の領域から前記したゲート手段１１を経て前記した第２の領域に移動するとき必ずこれと共に第１の領域から第２の領域に移動する特定物としての移動必携物に取り付けられている。移動必要物上無線信号発信手段１５は、前記した特定の人が前記した第１の領域から前記したゲート手段１１を経て前記した第２の領域に移動するときこれと共に第１の領域から第２の領域に移動すべきそれぞれの物体としての移動必要物のそれぞれに取り付けられている。ゲート手段閉検知手段１６は、ゲート手段１１が閉じたときこれを検知する。第２の領域移動時移動必要物移動確認手段１７は、このゲート手段閉検知手段１６がゲート手段１１の閉じたことを検知したとき第２の領域側無線信号受信手段１３が前記した移動必要物上無線信号発信手段１５から発信された無線信号のそれぞれの受信の可否を判別することでこれらの移動必要物が前記した第２の領域に移動したかを個別に判別する。このとき、移動必携物上無線信号発信手段１４から発信される無線信号が第２の領域側無線信号受信手段１３によって受信されることが条件となる。
【００１５】
図２は、本発明の物体移動確認方法のクレーム対応図を示したものである。本発明の物体移動確認方法２０は、第１の領域状態設定ステップ２１と第２の領域移動時ゲート手段閉検知ステップ２２と第２の領域移動時移動必要物移動確認ステップ２３とを備えている。ここで第１の領域状態設定ステップ２１では、所定の空間領域としての第１の領域からこれと接続される第２の領域に移動しようとする人の移動に伴ってステータスの設定を行う。設定は、前記した第１の領域から前記した第２の領域に移動する可能性のある物体のそれぞれに取り付けられた無線信号発信手段のうちの必ず前記した第２の領域に移動するべき物体に取り付けられた無線信号発信手段のステータスを対象とする。第１の領域状態設定ステップ２１では、これらの物体が第１の領域に存在することを示す第１の領域状態に設定する。第２の領域移動時ゲート手段閉検知ステップ２２では、前記した第１の領域と第２の領域の境に存在し、その開状態以外は電磁遮蔽機能を持ったゲート手段を検知対象とする。すなわち、このゲート手段が開いて特定の人が前記した第１の領域から第２の領域まで移動したとき、この移動後に前記したゲート手段が閉じた時点を検知する。第２の領域移動時移動必要物移動確認ステップ２３では、この第２の領域移動時ゲート手段閉検知ステップ２２で前記したゲート手段が閉じたことが検知されたとき、物体の移動を判別する。すなわち、第１の領域状態設定ステップ２１で第１の領域状態に設定された物体に取り付けられた前記した無線信号発信手段が発信している信号の受信の可否を前記した第２の領域側で判別することでこれらの物体が前記した第２の領域に移動したかを個別に判別する。
【００１６】
図３は、本発明の物体移動確認プログラムのクレーム対応図を示したものである。本発明の物体移動確認プログラム３０は、コンピュータに、第１の領域状態設定処理３１と第２の領域移動時ゲート手段閉検知処理３２と第２の領域移動時移動必要物移動確認処理３３とを実行させる。ここで第１の領域状態設定処理３１では、所定の空間領域としての第１の領域からこれと接続される第２の領域に移動しようとする人の移動に伴ってステータスの設定を行う。設定は、前記した第１の領域から前記した第２の領域に移動する可能性のある物体のそれぞれに取り付けられた無線信号発信手段のうちの必ず前記した第２の領域に移動するべき物体に取り付けられた無線信号発信手段のステータスを対象とする。第１の領域状態設定処理３１では、これらの物体が第１の領域に存在することを示す第１の領域状態に設定する。第２の領域移動時ゲート手段閉検知処理３２では、前記した第１の領域と第２の領域の境に存在し、その開状態以外は電磁遮蔽機能を持ったゲート手段を検知対象とする。すなわち、このゲート手段が開いて特定の人が前記した第１の領域から第２の領域まで移動したとき、この移動後に前記したゲート手段が閉じた時点を検知する。第２の領域移動時移動必要物移動確認処理３３では、第２の領域移動時ゲート手段閉検知処理３２で前記したゲート手段が閉じたことが検知されたとき、物体の移動を判別する。すなわち、第１の領域状態設定処理３１で第１の領域状態に設定された物体に取り付けられた前記した無線信号発信手段が発信している信号の受信の可否を前記した第２の領域側で判別することでこれらの物体が前記した第２の領域に移動したかを個別に判別する。
【００１７】
＜発明の実施の形態＞
【００１８】
次に本発明の実施の形態を説明する。
【００１９】
図４は、本発明の実施の形態による物体移動確認システムの構成の要部を表わしたものである。本実施の形態の物体移動確認システム１００では、ユーザ１０１の居住する家屋１０２の出入りを行うための玄関ドア１０３が、後に説明するように特別の仕様となっている。この玄関ドア１０３は、家屋１０２の内部に設置された物体所在通知判断装置１０４と通信線１０５によって接続されている。本実施の形態で通信線１０５は有線であるが、無線であってもよい。
【００２０】
この図４では、ユーザ１０１が家屋１０２の内部に居る状態を表わしている。ユーザ１０１は、外出時に携行し、在宅時には家屋１０２の内部に存在すべき予め定めた複数の物体のそれぞれにアクティブ型ＲＦＩＤタグを取り付けている。ここでアクティブ型ＲＦＩＤタグとは、電池を内蔵した無線ＩＣ（Integrated Circuit）タグである。アクティブ型ＲＦＩＤタグは、電池を内蔵しないパッシブ型ＲＦＩＤタグと異なり、数十メートルの範囲で交信が可能である。また、「取り付ける」とは、物体に如何なる方法で取り付けていてもよく、器具によって取り付ける場合以外に、貼り付けたり埋設あるいは混入される場合も含むものである。
【００２１】
本実施の形態で、物体とアクティブ型ＲＦＩＤタグの関係を示すと次のようになる。第１の物体としての玄関ドア１０３を施錠するための鍵１１１1には、第１のアクティブ型ＲＦＩＤタグ１１２1が取り付けられている。第２の物体としての財布１１１2には、第２のアクティブ型ＲＦＩＤタグ１１２2が取り付けられている。第３の物体としてのユーザ１０１の所持する携帯電話機１１１3には、第３のアクティブ型ＲＦＩＤタグ１１２3が取り付けられている。第４の物体としての定期乗車券１１１4には、第４のアクティブ型ＲＦＩＤタグ１１２4が取り付けられている。第５の物体としての時計１１１5には、第５のアクティブ型ＲＦＩＤタグ１１２5が取り付けられている。
【００２２】
図５は、玄関ドアと物体所在通知判断装置の構成を具体的に表わしたものである。図４と共に説明する。
【００２３】
玄関ドア１０３は、その内部の厚み方向を２分する形でドア全面に電磁遮蔽板１２１が組み込まれている。また、図示しないが家屋１０２における玄関ドア１０３の周囲の壁の内部も必要に応じて同様の電磁遮蔽板が埋設されている。これは、玄関ドア１０３が閉じている状態で第１〜第５のアクティブ型ＲＦＩＤタグ１１２1〜１１２5のいずれかが少なくとも家屋１０２内に存在しても、玄関ドア１０３のすぐ外側でこれらと交信ができない状態を確保するためである。電磁遮蔽板１２１は、一般には薄い金属板で構成するが、玄関ドア１０３の透明部分に対応する箇所には電磁遮蔽ガラスを使用することも可能である。
【００２４】
玄関ドア１０３の内部には、電磁遮蔽板１２１を境として家屋１０２の内側に内側ＲＦＩＤリーダ１２２が埋設されており、家屋１０２の外側には外側ＲＦＩＤリーダ１２３が埋設されている。また、玄関ドア１０３は、図示しない板材の側部が床面に垂直な回転軸を中心に回転するヒンジ構造で開閉するような構造となっている。玄関ドア１０３の内部に配置された角度センサ１２４は、玄関ドア１０３の回転式の錠１２５の回転角を検出することで施錠の有無を判別する。
【００２５】
内側ＲＦＩＤリーダ１２２は、家屋１０２の内部にアクティブ型ＲＦＩＤタグ１１２が存在する場合に、これらから送られてくるイベント情報の読み取りを行う。電磁遮蔽板１２１は、玄関ドア１０３が閉じた状態のとき家屋１０２の内部にアクティブ型ＲＦＩＤタグ１１２が存在してもこれらから送られてくる電波を遮蔽する。したがって、外側ＲＦＩＤリーダ１２３は玄関ドア１０３が閉じた状態のとき家屋１０２の内部に存在するアクティブ型ＲＦＩＤタグ１１２から送られてくるイベント情報を読み取ることができない。外側ＲＦＩＤリーダ１２３は家屋１０２の外部にアクティブ型ＲＦＩＤタグ１１２が存在する場合、アクティブ型ＲＦＩＤタグ１１２から送られてくるイベント情報を読み取る。
【００２６】
物体所在通知判断装置１０４は、内側ＲＦＩＤリーダ１２２および外側ＲＦＩＤリーダ１２３が読み取ったイベント情報と角度センサ１２４から出力される玄関ドア１０３の回転角を表わした情報を受け取り、これらを処理するようになっている。具体的には、物体所在通知判断装置１０４はＣＰＵ（Central Processing Unit）１３１と、このＣＰＵ１３１が実行するプログラムを格納したメモリ１３２を備えた主制御部１３３を有している。主制御部１３３は、ステータス管理部１３４と、読取情報記憶部１３５と、エラー通知部１３６およびドア閉開判定部１３７と接続されている。
【００２７】
ここでステータス管理部１３４は第１〜第５の物体１１１1〜１１１5の状態を管理するようになっている。このためステータス管理部１３４は、ユーザ１０１からの入力を受け付ける入力部１３８と、ステータス記憶部１３９を備えている。読取情報記憶部１３５は、内側ＲＦＩＤリーダ１２２および外側ＲＦＩＤリーダ１２３の読み取った第１〜第５のアクティブ型ＲＦＩＤタグ１１２1〜１１２5からの情報を一時的に記憶する。これらの情報はユーザ１０１からの入力情報と共にステータス記憶部１３９に備えられたステータステーブル１４１に上書きされる。ステータステーブル１４１については後に説明する。
【００２８】
エラー通知部１３６は、忘れ物が発生した場合のような所定の場合に、ユーザ１０１に必要な通知を行う機能を持っている。ドア閉開判定部１３７は玄関ドア１０３の開閉を判断する機能を持っている。物体所在通知判断装置１０４における主制御部１３３以外の各部は、ハードウェアで構成されていてもよいし、これらの少なくとも一部はＣＰＵ１３１がメモリ１３２に格納されたプログラムを実行することによってソフトウェア的に機能を実現するものであってもよい。
【００２９】
図６は、ステータステーブルの構成を表わしたものである。ステータステーブル１４１には、図４に示した第１〜第５のアクティブ型ＲＦＩＤタグ１１２1〜１１２5のそれぞれについて、識別のための信号パターンとしてのタグＩＤと、取り付けの対象となった物体１１１の名前および現在のステータス（States）が記録されている。ここでステータスが「ＩＮ」とは、忘れ物の管理対象となる物体１１１が家屋１０２の内部に存在する場合に設定する状態をいう。また、ステータスが「ＯＵＴ」とは、忘れ物の管理対象となる物体１１１が家屋１０２の外に存在することが確認された状態を示している。更に、ステータスが「Ｈｏｍｅ」とは、対応する物体１１１が初期状態であることを示している。初期状態のままでは、まだ忘れ物の管理対象となる物体１１１であるか否かが定められていない。
【００３０】
図７は、ユーザが家屋の内部で本実施の形態の物体移動確認システムを初期化して外出を行うまでの一連の流れを示したものである。図４〜図６と共に説明する。
【００３１】
ユーザ１０１は、外出を行う前に、物体所在通知判断装置１０４の入力部１３８を操作して、第１〜第５のアクティブ型ＲＦＩＤタグ１１２1〜１１２5のすべてを初期化することで、これらのステータスを「Ｈｏｍｅ」に設定する（ステップＳ２０１）。次にユーザ１０１は、入力部１３８を用いて第１〜第５の物体１１１1〜１１１5の中で、外出時に携行する予定の物体１１１のステータスを「ＩＮ」に更新しておく（ステップＳ２０２）。このとき、ステータスを「ＩＮ」とした物体１１１が家屋１０２の内部に存在することを確認することが前提となる。外出時に持っていく以外のものはステータスを「ＩＮ」に設定しない。たとえば第５の物体としての時計１１１5を持って出ないものとすれば、そのステータスは図６に示すように「Ｈｏｍｅ」のままとなる。
【００３２】
ステップＳ２０２の処理が終了したら、物体所在通知判断装置１０４は、角度センサ１２４の検出結果を監視して、玄関ドア１０３が開錠状態から施錠状態になるのを待機する（ステップＳ２０３）。たとえばユーザ１０１が外出のために玄関ドア１０３を開けて玄関の外に出て、第１の物体としての鍵１１１1を用いて施錠したとする（Ｙ）。この時点で物体所在通知判断装置１０４は、外側ＲＦＩＤリーダ１２３がステータスの「ＩＮ」となったアクティブ型ＲＦＩＤタグ１１２のいずれかを検知したかをチェックする（ステップＳ２０４）。
【００３３】
この例では、ユーザ１０１が屋外から鍵１１１1を用いて施錠したので、外側ＲＦＩＤリーダ１２３が少なくとも鍵１１１1に対応する第１のアクティブ型ＲＦＩＤタグ１１２1の検知を行う。したがって、外側ＲＦＩＤリーダ１２３はステータスの「ＩＮ」となったアクティブ型ＲＦＩＤタグ１１２のいずれかを検知することになる（ステップＳ２０４：Ｙ）。この状況で、外側ＲＦＩＤリーダ１２３が読み取ったアクティブ型ＲＦＩＤタグ１１２の中に鍵１１１1に対応する第１のアクティブ型ＲＦＩＤタグ１１２1が存在するかを確認する（ステップＳ２０５）。この例では存在しない事態は発生しない。この例以外の場合で、第１のアクティブ型ＲＦＩＤタグ１１２1が存在しない場合としては（ステップＳ２０５：Ｎ）、たとえば同居者が施錠して、ユーザ１０１自体は鍵１１１1を家屋１０２の内部に忘れてきた場合が考えられる。そこで、この場合にはエラー通知部１３６がユーザ１０１に対して、忘れ物があることを通知する（ステップＳ２０６）。そして、外側ＲＦＩＤリーダ１２３の読み取ったアクティブ型ＲＦＩＤタグ１１２に対しては、家屋１０２の外にあることが確認されたので、これらのステータスを「ＯＵＴ」に更新する（ステップＳ２０７）。この後、読取情報記憶部１３５の記憶内容をクリアして（ステップＳ２０８）、処理を終了する（エンド）。
【００３４】
もちろん、鍵１１１1を家屋１０２の内部に忘れてきた場合で自動ロック機構でない場合には、ユーザ１０１は玄関ドア１０３を開けて、忘れ物を取りに戻ることができる。また、玄関ドア１０３が施錠された時点で（ステップＳ２０３：Ｙ）、外側ＲＦＩＤリーダ１２３がアクティブ型ＲＦＩＤタグ１１２のいずれも検知しなかった場合には（ステップＳ２０４：Ｎ）、読取情報記憶部１３５の記憶内容をクリアして（ステップＳ２０９）、ステップＳ２０３の処理に戻る。ユーザ１０１がステータスを「ＩＮ」に設定した物体１１１のいずれも持たずに玄関ドア１０３を施錠したことは、たとえば次のような事例に該当し、外出とは見なされないからである。
【００３５】
（１）ユーザ１０１が防犯のために、家屋１０２の外に出ずに玄関ドア１０３も開けることなく内部から施錠した場合。
（２）郵便配達や宅配便等の外来者に対応するために玄関ドア１０３を一時的に開けたが、外に出ることなく施錠した場合。
（３）外来者に対応したり、近くのゴミ集積所に行く等の要件で玄関ドア１０３の外に一時的に出たが、後で内部に戻って施錠した場合。
【００３６】
ステップＳ２０５でユーザ１０１の鍵１１１1が玄関ドア１０３の外にあることが外側ＲＦＩＤリーダ１２３によって検知された場合には（Ｙ）、ステップＳ２０２で鍵１１１1以外にステータスが「ＩＮ」に設定された物体１１１が存在するかの判別が行われる（ステップＳ２１０）。もし、ユーザ１０１がステップＳ２０２で鍵１１１1だけについてステータスを「ＩＮ」に設定していたとする。この場合には（Ｎ）、外出のためのすべての物体１１１を揃えて外出することになる。そこで物体所在通知判断装置１０４はエラー通知部１３６を作動させず、読み取った第１のアクティブ型ＲＦＩＤタグ１１２1のステータスを「ＯＵＴ」に更新する（ステップＳ２０７）。この後、読取情報記憶部１３５の記憶内容をクリアして（ステップＳ２０８）、処理を終了する（エンド）。
【００３７】
これに対して、ステップＳ２０２で鍵１１１1以外にステータスが「ＩＮ」に設定された物体１１１が存在することが判明したとする。この場合には（ステップＳ２１０：Ｙ）、ステップＳ２０２でステータスを「ＩＮ」に設定したアクティブ型ＲＦＩＤタグ１１２のすべてを外側ＲＦＩＤリーダ１２３が検知したかのチェックが行われる（ステップＳ２１１）。ステータスを「ＩＮ」に設定していない物体１１１も持ち出したかは問わない。
【００３８】
ステータスが「ＩＮ」となっているすべての物体１１１をユーザ１０１が少なくとも所持していれば（ステップＳ２１１：Ｙ）、物体所在通知判断装置１０４はエラー通知部１３６を作動させない。そして、外側ＲＦＩＤリーダ１２３によって検知されたすべてのアクティブ型ＲＦＩＤタグ１１２のステータスを「ＯＵＴ」に更新する（ステップＳ２０７）。たとえば、ユーザ１０１が第５の物体としての時計１１１5を所持して玄関ドア１０３の外に出たとする。このときステータスが「ＩＮ」となっているすべての物体１１１をユーザ１０１が所持していれば（ステップＳ２１１：Ｙ）、ステータスが「Ｈｏｍｅ」となっていた時計１１１5の追加的な持ち出しは可能である。ただし、時計１１１5は外出時に携行すべき物体として設定していなかったので、このままでは所在が不明となる可能性がある。そこで、ステップＳ２０７で外側ＲＦＩＤリーダ１２３が第５のアクティブ型ＲＦＩＤタグ１１２5を検知したことをもって、このタグについてもステータスを「ＯＵＴ」に更新することになる。
【００３９】
この一方で、ステップＳ２０２でたとえばステータスを「ＩＮ」と設定していた第２の物体としての財布１１１2を忘れた場合のように、ステップＳ２１１に示す条件が満足されない場合がある。この場合（Ｎ）、物体所在通知判断装置１０４はエラー通知部１３６を作動させて、財布１１１2を忘れたことを通知する（ステップＳ２０６）。そして、外側ＲＦＩＤリーダ１２３の読み取ったアクティブ型ＲＦＩＤタグ１１２に対しては、家屋１０２の外にあることが確認されたので、これらのステータスを「ＯＵＴ」に更新する（ステップＳ２０７）。この後、読取情報記憶部１３５の記憶内容をクリアして（ステップＳ２０８）、処理を終了する（エンド）。この場合、ユーザ１０１は玄関ドア１０３を開けて、忘れ物を取りに戻ることができる。
【００４０】
図８〜図１０は、各場合におけるステータステーブルの更新後の状態を表わしたものである。図４および図７と共に説明する。ここでは、ステップＳ２０２の処理が終了した時点でステータステーブル１４１が図６に示す状態であったものとする。
【００４１】
図８は、ユーザ１０１が第１の物体としての鍵１１１1と、第２の物体としての財布１１１2および第３の物体としての携帯電話機１１１3を予定通りすべて所持して外出した場合である。この例の場合、第５の物体としての時計１１１5は予定通り家屋１０２の外に持ち出していない。この場合、持ち出しの条件はすべて満たすので、物体所在通知判断装置１０４のエラー通知部１３６はステップＳ２０６で警告通知を行わない。
【００４２】
図９は、図８の場合に携行しなかった第５の物体としての時計１１１5を、鍵１１１1、財布１１１2および携帯電話機１１１3と共に家屋１０２の外に持ち出した場合を示している。携帯電話機１１１3に対応する第５のアクティブ型ＲＦＩＤタグ１１２5のステータスが「Ｈｏｍｅ」から「ＯＵＴ」に更新されている。この例の場合も、持ち出しの条件はすべて満たす。したがって、物体所在通知判断装置１０４のエラー通知部１３６はステップＳ２０６で警告通知を行わない。
【００４３】
図１０は、ユーザ１０１が第１の物体としての鍵１１１1および第３の物体としての携帯電話機１１１3を予定通り携行して外出したが、第２の物体としての財布１１１2を携行しなかった場合である。この例の場合、第５の物体としての時計１１１5は予定通り家屋１０２の外に持ち出していない。この場合、持ち出しの条件を満たさなくなる。そこで、物体所在通知判断装置１０４のエラー通知部１３６はステップＳ２０６で財布１１１2を忘れた旨の警告通知を行う。このとき、ユーザ１０１は２つの対応のいずれかを選択する。
【００４４】
第１の対応は、ユーザ１１１が財布１１１2を取りに家屋１０２の中に戻ることである。財布１１１2を持って家屋１０２の外に出て施錠すれば、財布１１１2に取り付けられた第２のアクティブ型ＲＦＩＤタグ１１２2のステータスが「ＩＮ」から「ＯＵＴ」に更新される。この結果、ステータステーブル１４１は図８に示す状態に変化する。
【００４５】
第２の対応は、財布１１１2を忘れたことを承知で外出することである。たとえば近くの店に缶ジュースを買いに行くだけで、ポケットに小銭入れを持って出るような場合には、財布１１１2の所持が不要である。このようにユーザ１０１がエラー通知部１３６の通知を承諾すれば、そのまま外出することは可能である。この場合、ステータステーブル１４１の記録内容はステップＳ２０７の更新時の状態となる。
【００４６】
図１１は、ユーザが帰宅した場合の物体所在通知判断装置の処理の様子を表わしたものである。図４〜図７と共に説明する。
【００４７】
物体所在通知判断装置１０４のドア閉開判定部１３７は、玄関ドア１０３が一度開いてから閉じるのを待機している（ステップＳ２３１）。玄関ドア１０３についてこのような動作が検知されたら（Ｙ）、物体所在通知判断装置１０４は内側ＲＦＩＤリーダ１２２が玄関ドア１０３の内側でステータスが「ＯＵＴ」となっているアクティブ型ＲＦＩＤタグ１１２を検知したかの判別を行う（ステップＳ２３２）。このような検知が行われなかった場合には（Ｎ）、家族等のユーザ１０１本人以外の者が家屋１０２に戻った場合である。これは物体所在通知判断装置１０４の管理対象外の事項である。そこで物体所在通知判断装置１０４は、読取情報記憶部１３５の記憶内容をクリアして（ステップＳ２３６）、処理を終了する（エンド）。
【００４８】
これに対して、内側ＲＦＩＤリーダ１２２が玄関ドア１０３の内側でステータスが「ＯＵＴ」となっているアクティブ型ＲＦＩＤタグ１１２を検知したとする（ステップＳ２３２：Ｙ）。この場合、物体所在通知判断装置１０４は、ステータス記憶部１３９のステータステーブル１４１を参照する。そして、ステータスが「ＯＵＴ」となっているアクティブ型ＲＦＩＤタグ１１２のすべてを内側ＲＦＩＤリーダ１２２が検知したかを判別する（ステップＳ２３３）。このような検知が行われなかった場合には（Ｎ）、検知されなかったアクティブ型ＲＦＩＤタグ１１２に対応する物体１１１を持って帰るのを忘れた可能性がある。そこで、この場合、エラー通知部１３６は、その物体１１１を示して警告通知を行う（ステップＳ２３４）。そして、内側ＲＦＩＤリーダ１２２が玄関ドア１０３の内側で読み取ったアクティブ型ＲＦＩＤタグ１１２におけるステータスが「ＯＵＴ」となっているものを、すべて「ＩＮ」に更新する（ステップＳ２３５）。この後、読取情報記憶部１３５の記憶内容をクリアして（ステップＳ２３６）、処理を終了する（エンド）。
【００４９】
一方、ステップＳ２３３で、ステータスが「ＯＵＴ」となっているアクティブ型ＲＦＩＤタグ１１２のすべてを内側ＲＦＩＤリーダ１２２が検知したと判別したとする（Ｙ）。この場合にはこれらのアクティブ型ＲＦＩＤタグ１１２が取り付けられた物体１１１が家屋１０２に戻ったことになる。そこでステップＳ２３５に処理が進むことになる。
【００５０】
以上の帰宅処理の結果、次の外出の際に一緒に持ち出す必要のない物体１１１のステータスが「ＩＮ」となっている場合がある。たとえばユーザ１０１が第５の物体としての時計１１１5を所持して外出する予定でなかった場合に、これを所持して外出したような場合である。この場合、本来は図８に示す状態であるべきステータステーブル１４１の内容が、帰宅時に図９に示すように第５のアクティブ型ＲＦＩＤタグ１１２5のステータスが「ＯＵＴ」に変更されている。この結果、ステップＳ２３５の処理で第５のアクティブ型ＲＦＩＤタグ１１２5のステータスが「ＩＮ」に更新される。ステータステーブル１４１の状態をこのまま放置しておくと、次の外出を行う際に第５の物体としての時計１１１5を携行しないとエラー通知部１３６がユーザ１０１に忘れ物の通知を行う（ステップＳ２０６）。すなわち、外出時の必須携行品でなかった時計１１１5が必須携行品に変更されてしまい、携行しなければエラーが通知されることになる。
【００５１】
このような不都合が発生しないようにするためには、ステータステーブル１４１のステータスが「ＩＮ」となっているもののうち、次の外出時に必須携行品でないものはステータスを「ＩＮ」から「Ｈｏｍｅ」に変更しておく必要がある。もちろん、外出時に必須携行品とするか判断が分かれる物体１１１については、ステータスを「ＩＮ」としておき、持ち出さなかったことによるエラー通知（ステップＳ２０６）が行われた時点でユーザ１０１が所持の有無を判断するようにしてもよい。
【００５２】
以上説明したように本発明の実施の形態によれば、玄関ドア１０３を施錠する鍵１１１1を外側ＲＦＩＤリーダ１２３のみが検知することをもって、ユーザ１０１が外出するものと判別することにした。これにより、外出以外に玄関ドア１０３を開閉する操作に対して誤ってエラーの通知が行われることがない。この結果、家の外で談話する場合やゴミを捨てに行く場合のように施錠しない場合、物体移動確認システム１００の管理対象から除外することができ、ユーザ１０１にとって使いやすいシステムとなる。
【００５３】
また、本実施の形態では第１〜第５の物体１１１1〜１１１5に第１〜第５のアクティブ型ＲＦＩＤタグ１１２1〜１１２5を対応付けて取り付けることにした。このため、電池を内蔵しないパッシブ型のＲＦＩＤタグと異なり、第１〜第５のアクティブ型ＲＦＩＤタグ１１２1〜１１２5は家屋１０２のどの位置に存在しても玄関ドア１０３側に配置された内側ＲＦＩＤリーダ１２２あるいは外側ＲＦＩＤリーダ１２３によって検知可能である。
【００５４】
なお、第１〜第５のアクティブ型ＲＦＩＤタグ１１２1〜１１２5にたとえば振動や加速度を検出する回路を内蔵させておけば、これらの検出を行ってから所定時間だけ情報を送信する時間を限定することができる。これにより、アクティブ型ＲＦＩＤタグ１１２1〜１１２5の内蔵電池の容量にもよるが、数年あるいはこれ以上の長期間の通信が可能である。したがって、電源スイッチを設ける必要がなく、電源スイッチの入れ忘れによる必須携行品の検知漏れのおそれもない。
【００５５】
また、本実施の形態のエラー通知部１３６のエラー通知を携帯電話機１１１3の警報通知機能と連動させておけば、ユーザ１０１が家屋１０２を離れる際にエラー通知に気付かなくても、通知を受けることができる。通知は、音声やブザーの鳴動によって行ってもよいし、電子メールの送信によっても可能である。
【００５６】
＜発明の第１の変形例＞
【００５７】
図１２は、本発明の第１の変形例による物体移動確認システムの構成の要部を表わしたものである。図１２で図４と同一部分には同一の符号を付しており、これらの説明を適宜省略する。
【００５８】
この第１の変形例の物体移動確認システム１００Ａでは、実施の形態で物体１１１に取り付けた第１〜第５のアクティブ型ＲＦＩＤタグ１１２1〜１１２5の代わりに第１〜第５のパッシブ型ＲＦＩＤタグ３１２1〜３１２5を使用することにしている。この変形例の第１〜第５のパッシブ型ＲＦＩＤタグ３１２1〜３１２5はＵＨＦ（Ultra-High Frequency）帯の周波数を使用して通信する。第１〜第５のパッシブ型ＲＦＩＤタグ３１２1〜３１２5は、電池を内蔵しない。このため玄関ドア１０３と数十センチメートルの距離まで近付かないと、図５に示した内側ＲＦＩＤリーダ１２２および外側ＲＦＩＤリーダ１２３と通信を行うことができない。
【００５９】
しかしながら、第１の変形例の物体移動確認システム１００Ａでも、ユーザ１０１は玄関ドア１０３の施錠された直後に内側ＲＦＩＤリーダ１２２および外側ＲＦＩＤリーダ１２３と十分近い距離の場所に存在する。したがって、ユーザ１０１が携行する物体１１１に取り付けられたパッシブ型ＲＦＩＤタグ３１２は、図７および図１１の処理でそれぞれ検知可能である。このため、第１の変形例の物体移動確認システム１００Ａでは、実施の形態の物体移動確認システム１００と全く同様にして物体１１１が家屋１０２の内部に存在するか外部に存在するかの判別が可能である。
【００６０】
この第１の変形例の物体移動確認システム１００Ａでは、第１〜第５のパッシブ型ＲＦＩＤタグ３１２1〜３１２5が電池を内蔵しない。したがって、電池切れによる物体１１１の検知ミスが発生するおそれがない。また、電池交換作業が不要である。更にパッシブ型ＲＦＩＤタグ３１２が電池を必要としない分だけ物体移動確認システム１００Ａを安価に構成することができる。
＜発明の第２の変形例＞
【００６１】
図１３は、本発明の第２の変形例による物体移動確認システムの構成の要部を表わしたものである。図１３で図４と同一部分には同一の符号を付しており、これらの説明を適宜省略する。
【００６２】
この第２の変形例の物体移動確認システム１００Ｂでは、ユーザ１０１が外出に使用する第１の物体１１１Ｂ1としての靴に第１のアクティブ型ＲＦＩＤタグ１１２1が取り付けられている。第２〜第５の物体１１１2〜１１１5は、先の実施の形態と同様である。
【００６３】
ユーザ１０１は近所へのごみ出しのように外出以外の場合には、アクティブ型ＲＦＩＤタグ１１２が取り付けられていない図示しないサンダルや他の靴を使用することにしている。第１のアクティブ型ＲＦＩＤタグ１１２1は、靴１１１Ｂ1の中敷きに取り付けておけば、他の靴に履き替えたときも簡単に対応することができる。
【００６４】
図１４は、第２の変形例の場合にユーザが家屋の内部で本実施の形態の物体移動確認システムを初期化して外出を行うまでの一連の流れを示したものである。図１４で図７と同一部分には同一のステップ番号を付しており、これらの説明を適宜省略する。図５、図６および図１３と共に説明する。
【００６５】
この第２の変形例では、ステップＳ２０１の初期化の後で、ユーザ１０１は入力部１３８を使用して外出用の靴１１１Ｂ1と外出時に携行する他の物体１１１のアクティブ型ＲＦＩＤタグ１１２のステータスを「ＩＮ」に設定しておく（ステップＳ２０２）。
【００６６】
ステップＳ２０２の処理が終了したら、物体所在通知判断装置１０４は、角度センサ１２４の検出結果を監視して、玄関ドア１０３が開錠状態から施錠状態になるのを待機する（ステップＳ２０３）。たとえばユーザ１０１が外出のために玄関ドア１０３を開けて玄関の外に出て、施錠したとする（Ｙ）。この時点で物体所在通知判断装置１０４は、外側ＲＦＩＤリーダ１２３がステータスの「ＩＮ」となったアクティブ型ＲＦＩＤタグ１１２のいずれかを検知したかをチェックする（ステップＳ２０４）。検知した場合には（Ｙ）、図７におけるステップＳ２０５の処理を行わずに、ステータスが「ＩＮ」に設定された物体１１１が外側ＲＦＩＤリーダ１２３によって検知されたかを判別する（ステップＳ４０１）。
【００６７】
外側ＲＦＩＤリーダ１２３がステータスが「ＩＮ」に設定された物体１１１を検知しなかった場合には（ステップＳ４０１：Ｎ）、ステップＳ２０７に進む。外側ＲＦＩＤリーダ１２３がステータスが「ＩＮ」に設定された物体１１１を検知した場合には（ステップＳ４０１：Ｙ）、ステップＳ２１１に進む。これ以降の処理は実施の形態と同一である。また、図１１で説明した帰宅時の処理は第２の変形例でも同一の処理となる。
【００６８】
このように本発明の第２の変形例によれば、実施の形態の鍵１１１1と異なり靴１１１Ｂ1は外出時に忘れていくことがない。したがって、図１４に示した処理は図７に示した処理よりも簡素化するという利点がある。また、実施の形態では家屋１０２の鍵１１１1を複数の者が共有しているような場合には、ユーザ１０１以外の使用時にもユーザ１０１の必須携行品のチェックが行われ、エラーが発生するおそれがある。第２の変形例では、各人が靴を別々に使用するので、このような不都合が発生しない。また、万一、他の者がユーザ１０１の靴１１１Ｂ1を間違って履いた場合にはその外出時に間違いが発見されるので、靴の履き間違いを防止することが可能になる。更に、実施の形態では鍵１１１1にアクティブ型ＲＦＩＤタグ１１２1を取り付けることにしたので、鍵の種類によっては取り付けが不可能とされたが、靴の場合にはこのような取り付け上の問題が生じることがない。
【００６９】
なお、以上の説明では鍵や靴を外出と深く係わる物体として位置付けたが、同様の機能を持つ物体があれば、その物体を施錠と関連付けることは可能である。たとえは、目の不自由な人や体の不自由な人が自分の杖を使用して外出するものであれば、その杖にアクティブ型ＲＦＩＤタグ等の無線ＩＣタグを取り付けてもよいことは当然である。この他にも、外出専用の紫外線防止メガネや、外出用のかつら、といったような各種の物体を外出と関連付けることができる。
【００７０】
また、玄関の施錠は角度センサ１２４で検出する必要はない。鍵を鍵穴に挿入しなくてもロックすることのできるドアであってもよい。どのような検出方法であっても、施錠と外側ＲＦＩＤリーダ１２３等のデータの読取側とが連動すればよい。
【００７１】
更に実施の形態や変形例では、家屋１０２の出入りについて説明したが、これに限るものではない。たとえばオフィス、ビル、車両、船舶あるいはセキュリティを管理する特定の領域の出入りについても、所持品あるいは携行品の確認に本発明を適用することができる。これに応じて、実施の形態や変形例で使用した「玄関ドア」の名称も適宜変化することは当然である。
【００７２】
また、実施の形態では玄関ドア１０３がヒンジ構造で開閉するものとしたが、引き戸形式のように他の形式のドアであってもよい。すなわち、実質的に人が出入りする場所であれば、名称の如何を問わない。
【符号の説明】
【００７３】
１０、１００、１００Ａ、１００Ｂ  物体移動確認システム
１１  ゲート手段
１２  無線信号遮蔽制御手段
１３  第２の領域側無線信号受信手段
１４  移動必携物上無線信号発信手段
１５  移動必要物上無線信号発信手段
１６  ゲート手段閉検知手段
１７  第２の領域移動時移動必要物移動確認手段
２０  物体移動確認方法
２１  第１の領域状態設定ステップ
２２  第２の領域移動時ゲート手段閉検知ステップ
２３  第２の領域移動時移動必要物移動確認ステップ
３０  物体移動確認プログラム
３１  第１の領域状態設定処理
３２  第２の領域移動時ゲート手段閉検知処理
３３  第２の領域移動時移動必要物移動確認処理
１０１  ユーザ
１０２  家屋
１０３  玄関ドア
１０４  物体所在通知判断装置
１１１  物体
１１１1  鍵
１１１Ｂ  靴
１１２  アクティブ型ＲＦＩＤタグ
１２１  電磁遮蔽板
１２２  内側ＲＦＩＤリーダ
１２３  外側ＲＦＩＤリーダ
１２４  角度センサ
１２５  錠
１３１  ＣＰＵ
１３２  メモリ
１３４  ステータス管理部
１３５  読取情報記憶部
１３６  エラー通知部
１３７  ドア閉開判定部
１３９  ステータス記憶部
１４１  ステータステーブル
３１２  パッシブ型ＲＦＩＤタグ
【図１】
2010191510.tif 000003
【図２】
2010191510.tif 000004
【図３】
2010191510.tif 000005
【図４】
2010191510.tif 000006
【図５】
2010191510.tif 000007
【図６】
2010191510.tif 000008
【図７】
2010191510.tif 000009
【図８】
2010191510.tif 000010
【図９】
2010191510.tif 000011
【図１０】
2010191510.tif 000012
【図１１】
2010191510.tif 000013
【図１２】
2010191510.tif 000014
【図１３】
2010191510.tif 000015
【図１４】
2010191510.tif 000016